(57)【特許請求の範囲】
【請求項１】
交換機側から送られる発呼側電話番号を受信可能な通信装置において、
呼出信号を受信した際の処理として、自動着信モード、手動着信モード及びＦ／Ｔ切換着信モードを含む複数種類の処理モード備え、電話番号に対して前記処理モードのうちのいずれかのモードを対応させて記憶する記憶手段と、
前記交換機側から送られた発呼側電話番号が前記記憶手段に記憶された電話番号と一致するか否かを判断する判断手段と、
前記判断手段により一致すると判断されたならば、前記発呼側電話番号に対応する処理モードの種別を前記記憶手段から読み出し、その読み出した種別の処理モードを実行する着信処理手段と、
を備えたことを特徴とする通信装置。
【請求項２】
前記判断手段により一致しないと判断されたならば、Ｆ／Ｔモードを選択し、発呼側の要望に基づいて電話通話又はファクシミリ通信を行い、実際に行った結果に応じて処理モードを決定し、発呼側電話番号と対応させて記憶する記憶制御手段を備えたことを特徴とする請求項１に記載の通信装置。
【請求項３】
前記判断手段により一致すると判断され、前記発呼側電話番号に対応する処理モードを実行したにもかかわらず、その処理モードが適当でない場合、前記記憶手段に記憶された電話番号と処理モードとの対応を変更又は解除する記憶調整手段を備えたことを特徴とする請求項１もしくは２に記載の通信装置。
【発明の詳細な説明】
【０００１】
【産業上の利用分野】
本発明は、交換機側から送られる発呼側電話番号を受信可能な通信装置に関するものである。
【０００２】
【従来の技術】
従来、通信装置として、ファクシミリと電話を一本の回線で行うものが知られており、かかる装置には発呼側がファクシミリデータの送信を要望するのか電話通話を要望するのかに応じて、ファクシミリ着信処理か電話着信処理のいずれかを選択して実行するファクシミリ／電話切換着信モード（以下、「Ｆ／Ｔ切換着信モード」という）が備えられている。
【０００３】
かかるＦ／Ｔ切換着信モードでは、着信すると一旦回線を閉結し、所定の通信プロトコルによる信号の送受信を開始し、擬似呼出音を鳴動させると共に閉結された回線を通じて発呼側に擬似リングバックトーンを送出する。そして、この間にファクシミリの呼出音であるＣＮＧ信号を受信したならばファクシミリ着信処理を実行し、一方、受話器がオフフックされれば電話着信処理を実行する。また、ＣＮＧ信号を受信せず、かつ、受話器がオフフックされない状態で所定時間経過したならば、強制的に発呼側がファクシミリデータを送信するものとみなし、仮に発呼側が電話であったとしても、発呼側に通信を諦めさせるようにしている。
【０００４】
【発明が解決しようとする課題】
しかしながら、発呼側が電話専用機でありファクシミリ機能を有していない場合、Ｆ／Ｔ切換着信モードで処理すると、所定の通信プロトコルにおいてＣＮＧ信号を受信したか否かを判断する必要があるため、電話で通話する前から回線が閉結されて電話料金が課金されてしまうという問題があった。具体的には、被呼側において擬似呼出音を鳴動し、発呼側には擬似リングバックトーンを送出するが、被呼側がその通信装置の近傍にいないときや留守のとき等は擬似呼出音を鳴動し続けることになり、その間、発呼側は待ち続けることになる。この状態で所定時間経過すると、ファクシミリ装置はファクシミリ着信処理を開始するため、発呼側は交信を諦めて電話を切ることになる。このとき、発呼側は交信できなかったにもかかわらず課金されるという不都合があった。
【０００５】
本発明は、上記課題に鑑みなされたものであり、電話番号と着信処理との対応関係を予め登録しておき、これに基づいて所定の電話番号に対応する着信処理を迅速に選択することにより、いずれの着信処理を選択するかの判断に要する時間につき発呼側が課金されることを防止できる通信装置を提供することを目的とするものである。
【０００６】
【課題を解決するための手段】
【０００７】
【０００８】
【０００９】
上記課題を解決するため、請求項１記載の発明に係る通信装置は、交換機側から送られる発呼側電話番号を受信可能な通信装置において、呼出信号を受信した際の処理として、自動着信モード、手動着信モード及びＦ／Ｔ切換着信モードを含む複数種類の処理モード備え、電話番号に対して前記処理モードのうちのいずれかのモードを対応させて記憶する記憶手段と、前記交換機側から送られた発呼側電話番号が前記記憶手段に記憶された電話番号と一致するか否かを判断する判断手段と、前記判断手段により一致すると判断されたならば、前記発呼側電話番号に対応する処理モードの種別を前記記憶手段から読み出し、その読み出した種別の処理モードを実行する着信処理手段と、を備えたものである。
【００１０】
また、請求項２記載の発明に係る通信装置は、前記判断手段により一致しないと判断されたならば、Ｆ／Ｔモードを選択し、発呼側の要望に基づいて電話通話又はファクシミリ通信を行い、実際に行った結果に応じて処理モードを決定し、発呼側電話番号と対応させて記憶する記憶制御手段を備えたものである。
【００１１】
また、請求項３記載の発明に係る通信装置は、前記判断手段により一致すると判断され、前記発呼側電話番号に対応する処理モードを実行したにもかかわらず、その処理モードが適当でない場合、前記記憶手段に記憶された電話番号と処理モードとの対応を変更又は解除する記憶調整手段を備えたものである。
【００１２】
【作用】
【００１３】
【００１４】
【００１５】
【００１６】
【００１７】
【００１８】
上記構成を備えた請求項１記載の発明に係る通信装置では、請求項１記載の発明に係る通信装置では、他の通信装置からの呼出信号が入来する際又は入来した後に交換機から送信される発呼側電話番号（CallerID）を受信する。ここで、当該通信装置では、呼出信号を受信した際の処理として、自動着信モード、手動着信モード及びＦ／Ｔ切換着信モードを含む複数種類の処理モード備え、電話番号に対して、複数の処理モードのうちのいずれかのモードを対応させて記憶する記憶手段を備えている。判断手段は、交換機側から送られた発呼側電話番号が記憶手段に記憶された電話番号と一致するか否かを判断し、この判断手段により一致すると判断されたならば、今回交換機から送られてきた発呼側電話番号に対応する処理モードの種別を記憶手段から読み出し、その読み出した種別の処理モードを実行する。
【００１９】
即ち、電話番号とそれに適切な処理モードの種別とを予め対応付けて記憶手段に登録しておけば、呼出信号を受信した際に、交換機から送られてきた発呼側電話番号に対する処理モードが迅速に選択される。また、請求項２記載の発明に係る通信装置では、判断手段により一致しないと判断されたならば、Ｆ／Ｔモードを選択し、発呼側の要望に基づいて電話通話又はファクシミリ通信を行い、記憶制御手段が、実際に行った結果に応じて処理モードの種別を決定し、発呼側電話番号と対応させて記憶する。
【００２０】
即ち、当該通信装置は、交換機から送られてきた発呼側電話番号が未だ記憶手段に記憶されていなければ、その発呼側電話番号につき、発呼側の要望に応じて行った処理に相当する処理モードの種別を対応させて記憶手段に自動的に登録するものである。
【００２１】
また、請求項３記載の発明に係る通信装置では、判断手段により一致すると判断され、発呼側電話番号に対応する種別の処理モードを実行したにもかかわらず、その処理モードが適当でない場合、記憶調整手段が、記憶手段に記憶された電話番号と処理モードの種別との対応を変更又は解除する。
【００２２】
即ち、当該通信装置は、予め登録された電話番号と処理モードとの対応関係に基いて所定の電話番号に対応する処理モードを迅速に選択すると共に、実際には対応関係に基づく処理モードが適当でない場合には、電話番号と処理モードの種別との対応を自動的に更新するものである。
【００２３】
【実施例】
以下、本発明を具体化した一実施例を図面を参照して説明する。図１、図２は本実施例のファクシミリ装置（通信装置）の説明図であって、図１は斜視図、図２は概略構成を表すブロック図である。
【００２４】
図１に示すように、ファクシミリ装置１の本体１ａの側部には、受話器２１が取り付けられ、上面の前部には操作パネル２２が設けられている。また、本体１ａの上面後部には、図示しない記録紙カセットを着脱自在に装着するためのカセット装着部２３が形成され、上面中央には原稿台２４が形成されている。
【００２５】
ファクシミリ装置１には、図２に示すように、ネットワーク・コントロール・ユニット（以下、ＮＣＵという）２、ＣＰＵ３、モデム４、バッファ５、ＲＯＭ６、ＥＥＰＲＯＭ７、ＲＡＭ８、画像メモリ９、音声メモリ１０、音声ＬＳＩ１１、符号化部１２、スキャナ１３、復号化部１４、プリンタ１５、操作パネル２２、アンプ２５及びスピーカ２６が備えられ、これらは信号バスライン２０を介して接続されている。
【００２６】
ファクシミリ装置１の中核となるＣＰＵ３は、回線制御用のＮＣＵ２を介して送受信される各種信号に従って、信号バスライン２０により接続された装置各部を制御してファクシミリ動作又は電話動作つまりデータ通信を実行するものである。
【００２７】
モデム４は、画情報を変調・復調して伝送すると共に伝送制御用の各種手順信号を送受信するものであり、バッファ５は、他の通信装置１８との間で送受信される符号化された画情報を含むデータを一時的に格納するものである。ＲＯＭ６は、制御プログラムを格納したメモリである。また、ＥＥＰＲＯＭ７は、各種設定情報等を記憶させるメモリであり、交換機１７から送られてきた発呼側電話番号とその電話番号に対応する所定の着信モードとをリストとして記憶するリスト記憶エリア７ａ等を備えている。また、ＲＡＭ８は、動作実行時の各種データを一時格納するためのメモリであり、交換機１７から送られてきた発呼側電話番号を記憶する発呼側電話番号記憶エリア８ａ、通信状況を記憶する通信状況記憶エリア８ｂ等を備えている。
【００２８】
画像メモリ９は、ダイナミックＲＡＭ（ＤＲＡＭ）等により構成され、画像データを記憶する画像データ記憶エリア９ａ、及び記録のためのビットイメージを記憶するビットイメージ記憶エリア９ｂを備えている。また、音声メモリ１０は、ＤＲＡＭ等により構成され、発呼側へ送出すべき応答メッセージであるＯＧＭや、発呼側から送られてきた入来メッセージであるＩＣＭ等を記憶するものである。
【００２９】
音声ＬＳＩ１１は、ＮＣＵ２によって受信されたアナログ音声信号をデジタル音声信号に変換すると共に、このファクシミリ装置１の内部で生成されたデジタル音声信号をアナログ音声信号に変換してＮＣＵ２に出力するものである。符号化部１２は、送信する画情報の符号化を行うものであり、スキャナ１３は、原稿台２４（図１参照）に載置された原稿から画像を読み取るためのものである。復号化部１４は、バッファ５または画像メモリ９の画像データ記憶エリア９ａに記憶・書き込みされた受信画像データを記録のために読み出して復号化を行うものであり、プリンタ１５は受信画像データを用紙に記録するものであり、例えば、レーザ光により感光体に潜像を形成し、それをトナーを用いて現像し、用紙に転写する静電電子写真記録方式を用いることができる。なお、画像データは、例えば、ランレングス法で圧縮符号化されて送受信される。
【００３０】
操作パネル２２は、このファクシミリ装置１の動作状態をディスプレイ２２ａ（図１参照）に表示すると共にオペレータが各種操作を行うためのものであり、テンキー２２ｂ、通信キー２２ｃ、ファンクションキー２２ｄ（図１参照）などを備えている。
【００３１】
アンプ２５は、呼出音や再生したＩＣＭをスピーカ２６を介して出力させるためのものである。かかるファクシミリ装置１は、ＮＣＵ２を介して電話回線１６に接続されている。この電話回線１６は交換機１７に接続され、この交換機１７は図示しない他の電話回線を介して他の通信装置（ファクシミリ装置や電話機）１８に接続されている。
【００３２】
このファクシミリ装置１には、他の通信装置１８のダイヤル操作に応じて、当該他の通信装置１８から交換機１７を介して呼出信号が入来する。このとき、双方の所有者が発呼側電話番号受信サービスの加入者であるとして交換機１７に登録しているならば、最初の呼出信号と次の呼出信号の間の無音区間において、交換機１７を介して発呼側情報がファクシミリ装置１に送られる交換システムになっており、アメリカではアナログの交換システムにおいてすでに実用化されている。
【００３３】
次に、このように構成されたファクシミリ装置１の動作について概略説明する。ファクシミリデータ（画像データの一種）を記録紙に記録して受信する時には、ファクシミリ装置１は、他の通信装置１８と交換機１７及び電話回線１６を介してＮＣＵ２に接続された後、ＣＰＵ３の制御のもとに当該他の通信装置１８との間で所定の通信プロトコル（図３参照、以下同じ）による信号の授受を行ってから、当該他の通信装置１８から送信される画像データの所定容量分だけバッファ５に記憶する。この画像データは符号化（圧縮）されており、復号化部１４にて復号化（伸長）し、それを画像メモリ９のビットイメージ記憶エリア９ｂに１ページ単位での記録のためにビットイメージに展開して書き込む。そして、所定の解像度によりビット展開し、これをプリンタ１５に送り、１ページ単位で印刷する。バッファ５は、記憶内容が画像メモリ９のビットイメージ記憶エリア９ｂに書き込まれた後クリアされ、送信される画像データの次の所定容量分が記憶される。また、画像メモリ９のビットイメージ記憶エリア９ｂは、プリンタ１５に出力後クリアされ、次のビットイメージデータが書き込まれる。以上の処理により、プリンタ１５は、所定容量分の通信内容を順次記録紙に記録することになり、最終的に通信内容の全容が印字される。
【００３４】
また、ファクシミリデータをメモリ受信する時（代行受信等）には、画像メモリ９の画像データ記憶エリア９ａに圧縮された画像データを格納しておき、記録時に、画像メモリ９のビットイメージ記憶エリア９ｂにビット展開する。一方、通常のファクシミリデータを送信する時には、スキャナ１３で送信原稿を読み取り、符号化部１２で符号化してからＮＣＵ２を介して送信する。また、メモリ送信時には、スキャナ１３で送信原稿を読み取り、符号化した画像データを画像メモリ９の画像データ記憶エリア９ａに格納し、指定の時刻に送信動作を行う。
【００３５】
次に、電話着信する時には、ＣＰＵ３は、呼出信号が入来したこと（即ち、着信があったこと）をＮＣＵ２を介して検出すると共に、その呼出信号に連動して所定の呼出音をアンプ２５及びスピーカ２６を介して出力する。そして、ＣＰＵ３は、呼出信号の検出中に受話器２１が外されたことを検出すると、ＮＣＵ２に電話回線を閉結させて、受話器２１での通話を可能にする。その後、受話器２１がかけられたことを検出すると、ＮＣＵ２に電話回線を開放させる。
【００３６】
一方、電話発信する時には、ＣＰＵ３は、受話器２１が外されたことをＮＣＵ２を介して検出し、その後、操作パネル２２のテンキー２２ｂ操作に応じた選択信号をＮＣＵ２に出力する。すると、その選択信号はＮＣＵ２から電話回線１６及び交換機１７を介して、他の通信装置１８の呼出が行われる。
【００３７】
次に、本発明の特徴の１つである図４のメインルーチンについて説明する。このメインルーチンの処理は、ファクシミリ装置１の電源（図示せず）がオンされることにより開始される。この処理が開始されると、まず、他の通信装置１８からの呼出信号が着信したか否かを判断し（Ｓ１１）、呼出信号が着信しなければ（Ｓ１１でＮＯ）、再びＳ１１に戻る。一方、Ｓ１１にて、呼出信号が着信したならば（Ｓ１１でＹＥＳ）、ＲＡＭ８の発呼側電話番号記憶エリア８ａをクリアし（Ｓ１２）、続いて、今回交換機１７から発呼側電話番号が送られてきたか否かを判断し（Ｓ１３）、交換機１７から発呼側電話番号が送られてこなければ（Ｓ１３でＮＯ）、後述のＦ／Ｔ切換着信処理を行い（Ｓ３１）、その後再びＳ１１に戻る。
【００３８】
一方、Ｓ１３にて、交換機１７から発呼側電話番号が送られてきたならば（Ｓ１３でＹＥＳ）、その発呼側電話番号をＲＡＭ８の発呼側電話番号記憶エリア８ａに一時的に記憶し（Ｓ１５）、次いでその電話番号を操作パネル２２のディスプレイ２２ａに表示する（Ｓ１７）。続いて、ＲＡＭ８の発呼側電話番号記憶エリア８ａに記憶した電話番号が、ＥＥＰＲＯＭ７のリスト記憶エリア７ａに既に記憶されているか否かを判断し（Ｓ１９）、記憶されていなければ（Ｓ１９でＮＯ）、後述のＦ／Ｔ切換着信処理を行い（Ｓ３３）、続いて後述の着信モードリスト自動登録処理（Ｓ３５）を行った後、再びＳ１１に戻る。
【００３９】
一方、Ｓ１９にて、ＲＡＭ８の発呼側電話番号記憶エリア８ａに記憶した電話番号がＥＥＰＲＯＭ７のリスト記憶エリア７ａに既に記憶されていたならば（Ｓ１９でＹＥＳ）、リスト記憶エリア７ａに記憶された着信モードリスト（後記する表１参照）から、その電話番号に対応する着信モードが自動着信モード、手動着信モード、Ｆ／Ｔ切換着信モードのいずれであるかを判断し（Ｓ２１）、ここで判断された着信モードに応じて後述の自動着信処理、手動着信処理、Ｆ／Ｔ切換着信処理のいずれかを実行する（Ｓ２３、Ｓ２５、Ｓ２７）。その後、後述の着信モードリスト自動更新処理を実行し（Ｓ２９）、再びＳ１１に戻る。
【００４０】
次に、図４のメインルーチンのＳ２３における自動着信処理について、図５のフローチャートに基づいて説明する。この処理が開始されると、まず、ＲＡＭ８の通信状況記憶エリア８ｂの電話通話フラグ及びファクシミリ通信フラグを共にオフにし（Ｓ４１）、続いて、回線を閉結し（Ｓ４３）、ファクシミリ受信処理を行う（Ｓ４５）。
【００４１】
ここで、ファクシミリ受信処理について図６に基づいて簡単に説明すると、まず、発呼側の通信装置１８に対して所定の通信プロトコルに基づく信号（ＣＥＤ等）を送信する（Ｓ５１）。その後、発呼側の通信装置１８から何らかのファクシミリ信号（所定の通信プロトコルに基づく信号（ＴＳＩ、ファクシミリデータ等を含む））を受信したか否かを判断し（Ｓ５３）、かかる信号を受信していなければ（Ｓ５３でＮＯ）、所定時間経過したか否かを判断し（Ｓ５５）、所定時間経過していなければ（Ｓ５５でＮＯ）、再びＳ５３に戻り、所定時間経過したならば（Ｓ５５でＹＥＳ）、このファクシミリ受信処理を終える。一方、Ｓ５３にて、発呼側からファクシミリ信号を受信したならば（Ｓ５３でＹＥＳ）、ファクシミリデータを記録紙に記録して受信するかメモリ受信し（Ｓ５７）、その後、このファクシミリ受信処理を終える。尚、ファクシミリデータを記録紙に記録して受信する動作やメモリ受信の動作については既に述べた通りである。
【００４２】
図５に戻り、Ｓ４５にて前記したファクシミリ受信処理を実行した後、続いて、ファクシミリ受信処理において発呼側の通信装置１８から何らかのファクシミリ信号を受信したか否かを判断し（Ｓ４７）、かかる信号を受信していなければ（Ｓ４７でＮＯ）、回線を開放し（Ｓ４９）、この自動着信処理を終える。一方、発呼側から何らかのファクシミリ信号を受信したならば（Ｓ４７でＹＥＳ）、ＲＡＭ８の通信状況記憶エリア８ｂのファクシミリ通信フラグをオンにし（Ｓ４８）、回線を開放し（Ｓ４９）、この自動着信処理を終える。
【００４３】
次に、手動着信処理について、図７のフローチャートに基づいて説明する。この処理が開始されると、まず、ＲＡＭ８の通信状況記憶エリア８ｂの電話通話フラグ及びファクシミリ通信フラグを共にオフにし（Ｓ６１）、発呼側の通信装置１８からの呼出信号が途絶したか否かを判断し（Ｓ６３）、呼出信号が途絶したならば（Ｓ６３でＹＥＳ）、発呼側が電話を切った（回線を開放した）とみなし、この手動着信処理を終える。
【００４４】
一方、Ｓ６３にて、発呼側の通信装置１８からの呼出信号が途絶していなければ（Ｓ６３でＮＯ）、アンプ２５及びスピーカ２６を介して呼出音を出力させる（Ｓ６５）。その後、受話器２１が外されたか否か、即ちオフフックされたか否かを判断し（Ｓ６７）、オフフックされなければ（Ｓ６７でＮＯ）、再びＳ６３に戻る。一方、Ｓ６７にて、オフフックされたならば（Ｓ６７でＹＥＳ）、ＲＡＭ８の通信状況記憶エリア８ｂの電話通話フラグをオンにし（Ｓ６９）、回線を閉結する（Ｓ７１）。
【００４５】
その後、ファクシミリ受信を開始するための通信キー２２ｃがオンされたか否かを判断し（Ｓ７３）、通信キー２２ｃがオンされたならば（Ｓ７３でＹＥＳ）、上述のファクシミリ受信処理（図６参照）を行い（Ｓ７９）、続いて、ファクシミリ受信処理の際に発呼側からファクシミリ信号を受信したか否かを判断し（Ｓ８１）、かかる信号を受信していなければ（Ｓ８１でＮＯ）、回線を開放し（Ｓ７７）、この手動着信処理を終える。一方、Ｓ８１にて、ファクシミリ受信処理の際に発呼側からファクシミリ信号を受信したならば（Ｓ８１でＹＥＳ）、ＲＡＭ８の通信状況記憶エリア８ｂのファクシミリ通信フラグをオンにし（Ｓ８３）、回線を開放し（Ｓ７７）、この手動着信処理を終える。
【００４６】
一方、Ｓ７３にて、通信キー２２ｃがオンされなければ（Ｓ７３でＮＯ）、オンフックされたか否かを判断し（Ｓ７５）、オンフックされなければ（Ｓ７５でＮＯ）、再びＳ７３に戻る。また、Ｓ７５にて、オンフックされたならば（Ｓ７５でＹＥＳ）、回線を開放し（Ｓ７７）、この手動着信処理を終える。
【００４７】
次に、Ｆ／Ｔ切換着信処理について図８のフローチャートに基づいて説明する。この処理が開始されると、まず、ＲＡＭ８の通信状況記憶エリア８ｂの電話通話フラグ及びファクシミリ通信フラグを共にオフにし（Ｓ１０１）、続いて、回線を閉結し（Ｓ１０３）、発呼側が回線を開放したことを意味するビジートーンが検出されたか否かを判断する（Ｓ１０５）。ビジートーンが検出されたならば（Ｓ１０５でＹＥＳ）、回線を開放し（Ｓ１２１）、このＦ／Ｔ切換着信処理を終える。
【００４８】
一方、Ｓ１０５にて、ビジートーンが検出されなければ（Ｓ１０５でＮＯ）、アンプ２５及びスピーカ２６を介して擬似呼出音を鳴動させると共に、発呼側に対して擬似リングバックトーンを送出する（Ｓ１０７）。その後、オフフックされたか否かを判断し（Ｓ１０９）、オフフックされたならば（Ｓ１０９でＹＥＳ）、ＲＡＭ８の通信状況記憶エリア８ｂに電話通話フラグをオンにし（Ｓ１２３）、続いて通信キー２２ｃがオンされたか否かを判断し（Ｓ１２５）、通信キー２２ｃがオンされたならば（Ｓ１２５でＹＥＳ）、Ｓ１１５に進む。一方、Ｓ１２５にて、通信キー２２ｃがオンされなければ（Ｓ１２５でＮＯ）、オンフックされたか否かを判断し（Ｓ１２７）、オンフックされなければ（Ｓ１２７でＮＯ）、再びＳ１２５に戻り、オンフックされたならば（Ｓ１２７でＹＥＳ）、回線を開放し（Ｓ１２１）、このＦ／Ｔ切換着信処理を終える。
【００４９】
また、Ｓ１０９にて、オフフックされなければ（Ｓ１０９でＮＯ）、続いてＣＮＧ信号を受信したか否かを判断し（Ｓ１１１）、ＣＮＧ信号を受信しなければ（Ｓ１１１でＮＯ）、このＦ／Ｔ切換着信処理を開始してから所定時間が経過したか否かを判断し（Ｓ１１３）、所定時間経過していなければ（Ｓ１１３でＮＯ）、再びＳ１０５に戻る。一方、Ｓ１１１にて、ＣＮＧ信号を受信したか（Ｓ１１１でＹＥＳ）、あるいは、Ｓ１１３にて、所定時間経過したならば（Ｓ１１３でＹＥＳ）、上述のファクシミリ受信処理（図６参照）を行う（Ｓ１１５）。続いて、ファクシミリ受信処理の際に発呼側からファクシミリ信号を受信したか否かを判断し（Ｓ１１７）、かかる信号を受信していなければ（Ｓ１１７でＮＯ）、回線を開放し（Ｓ１２１）、このＦ／Ｔ切換着信処理を終える。一方、Ｓ１１７にて、ファクシミリ受信処理の際に発呼側からファクシミリ信号を受信したならば（Ｓ１１７でＹＥＳ）、ＲＡＭ８の通信状況記憶エリア８ｂのファクシミリ通信フラグをオンにし（Ｓ１１９）、回線を開放し（Ｓ１２１）、このＦ／Ｔ切換着信処理を終える。
【００５０】
次に、図４のＳ３３の着信モードリスト自動登録処理について、図９のフローチャートに基づいて説明する。この処理が開始されると、まず、ＲＡＭ８の通信状況記憶エリア８ｂの電話通話フラグ及びファクシミリ通信フラグの双方が共にオン又はオフの状態であるか否かを判断し（Ｓ２０１）、双方が共にオン又はオフの状態であれば（Ｓ２０１でＹＥＳ）、ＲＡＭ８の発呼側電話番号記憶エリア８ａに記憶した電話番号とＦ／Ｔ切換着信モードとを対応させた形でＥＥＰＲＯＭ７のリスト記憶エリア７ａに記憶し（Ｓ２０５）、本処理を終了する。
【００５１】
Ｓ２０１にて、電話通話フラグ及びファクシミリ通信フラグの双方が共にオン又はオフの状態でなければ（Ｓ２０１でＮＯ）、続いて電話通話フラグがオン、ファクシミリ通信フラグがオフの状態であるか否かを判断し（Ｓ２０３）、各フラグがかかる状態であるならば（Ｓ２０３でＹＥＳ）、ＲＡＭ８の発呼側電話番号記憶エリア８ａに記憶した電話番号と手動着信モードとを対応させた形でＥＥＰＲＯＭ７のリスト記憶エリア７ａに記憶し（Ｓ２０７）、本処理を終える。
【００５２】
Ｓ２０３にて、電話通話フラグがオン、ファクシミリ通信フラグがオフの状態でなければ（Ｓ２０３でＮＯ）、電話通話フラグがオフ、ファクシミリ通信フラグがオンであるため、ＲＡＭ８の発呼側電話番号記憶エリア８ａに記憶した電話番号と自動着信モードとを対応させた形でＥＥＰＲＯＭ７のリスト記憶エリア７ａに記憶し（Ｓ２０９）、本処理を終える。
【００５３】
次に、図４のＳ２９の着信モードリスト自動更新処理について、図１０のフローチャートに基づいて説明する。この処理が開始されると、まず、ＲＡＭ８の通信状況記憶エリア８ｂの電話通話フラグ及びファクシミリ通信フラグの双方が共にオン又はオフの状態であるか否かを判断し（Ｓ３０１）、双方が共にオン又はオフの状態であれば（Ｓ３０１でＹＥＳ）、着信モードリストにおけるこの電話番号に対応する着信モードをＦ／Ｔ切換着信モードに更新し（Ｓ３０５）、本処理を終了する。
【００５４】
Ｓ３０１にて、電話通話フラグ及びファクシミリ通信フラグの双方のいずれかがオン又はオフの状態であれば（Ｓ３０１でＮＯ）、続いて電話通話フラグがオン、ファクシミリ通信フラグがオフの状態であるか否かを判断し（Ｓ３０３）、各フラグがかかる状態であるならば（Ｓ３０３でＹＥＳ）、着信モードリストにおけるこの電話番号に対応する着信モードを手動着信モードに更新し（Ｓ３０７）、本処理を終える。
【００５５】
Ｓ３０３にて、電話通話フラグがオン、ファクシミリ通信フラグがオフの状態でなければ（Ｓ３０３でＮＯ）、電話通話フラグがオフ、ファクシミリ通信フラグがオンであるため、着信モードリストにおけるこの電話番号に対応する着信モードを自動着信モードに更新し（Ｓ３０９）、本処理を終える。
【００５６】
以上のようにして、図４のメインルーチンが実行されると、ＥＥＰＲＯＭ７のリスト記憶エリア７ａには表１のような着信モードリストが作成される。
【００５７】
【表１】
0003543721.tif 000002
【００５８】
また、今回交換機１７から送られてきた発呼側電話番号がＥＥＰＲＯＭ７のリスト記憶エリア７ａに記憶されていた場合には、今回の着信処理の内容に応じて、その電話番号に対応する着信モードが更新（変更）され、一方、今回交換機１７から送られてきた発呼側電話番号がＥＥＰＲＯＭ７のリスト記憶エリア７ａに記憶されていない場合には、その発呼側電話番号につき、発呼側の要望に応じて行った処理に相当する着信処理を対応させて新たに着信モードリストに登録する。
【００５９】
その詳細を表２に基づいて説明する。
【００６０】
【表２】
0003543721.tif 000003
【００６１】
今回交換機１７から送られてきた発呼側電話番号がＥＥＰＲＯＭ７のリスト記憶エリア７ａに記憶されていた場合において、その電話番号に対応する着信モードが自動着信モードであったとき、発呼側がファクシミリ信号を被呼側に送信しなかったならば、その電話番号についてはＦ／Ｔ切換着信モードが対応するように更新される。
【００６２】
また、その電話番号に対応する着信モードが手動着信モードであったとき、発呼側が電話通話する前に回線を開放するかあるいは電話通話と共にファクシミリデータを被呼側に送信したならば、その電話番号についてはＦ／Ｔ切換着信モードが対応するように更新される。
【００６３】
更に、その電話番号に対応する着信モードがＦ／Ｔ切換着信モードであったとき、発呼側が電話通話のみ行ったならば、その電話番号については手動着信モードが対応し、発呼側がファクシミリ通信のみ行ったならば、その電話番号については自動着信モードが対応するように更新される。
【００６４】
一方、今回交換機１７から送られてきた発呼側電話番号がＥＥＰＲＯＭ７のリスト記憶エリア７ａに記憶されていなかった場合には、発呼側が電話通話のみ行ったならばその電話番号については手動着信モードが対応し、発呼側がファクシミリ通信のみ行ったならばその電話番号については自動着信モードが対応し、発呼側が交信前に回線を開放するかあるいは電話通話と共にファクシミリデータを被呼側に送信したならばその電話番号についてはＦ／Ｔ切換着信モードが対応するように、リスト記憶エリア７ａに登録（記憶）される（表２の「Ｆ／Ｔ切換着信モード」の欄参照）。
【００６５】
ここで、上記実施例と本発明の構成要件との対応関係を明らかにする。上記実施例のＥＥＰＲＯＭ７のリスト記憶エリア７ａが本発明の記憶手段に相当し、ＣＰＵ３が判断手段、第１処理手段、第２処理手段、記憶制御手段及び記憶調整手段に相当する。また、図４のＳ１９が判断手段の処理に相当し、図４のＳ２１、Ｓ２３、Ｓ２５、Ｓ２７が第１処理手段の処理に相当し、図４のＳ３３の処理が第２処理手段の処理に相当し、図４のＳ３５の処理が記憶制御手段の処理に相当し、図４のＳ２９の処理が記憶調整手段の処理に相当する。
【００６６】
更に、本実施例の手動着信処理には、本発明の電話着信処理と電話着信処理以外の処理とが含まれる。即ち、図７のフローチャートにおいて、発呼側が交信前に回線を開放した場合（Ｓ６３でＹＥＳ）及びファクシミリ受信処理で発呼側からファクシミリ信号を受信した場合（ＳＳ８１でＹＥＳ、Ｓ８３）を除く処理が、本発明の電話着信処理（即ち、電話通話を行う処理）に相当し、発呼側が交信前に回線を開放した場合（Ｓ６３でＹＥＳ）及びファクシミリ受信処理で相手からファクシミリ信号を受信した場合（ＳＳ８１でＹＥＳ、Ｓ８３）が、電話着信処理以外の処理に相当する。
【００６７】
同様に、本実施例の自動着信処理には、本発明のファクシミリ着信処理とファクシミリ着信処理以外の処理が含まれる。即ち、図５のフローチャートにおいて、ファクシミリ受信処理で発呼側からファクシミリ信号をがファクシミリ信号を受信しなかった場合（Ｓ４７でＮＯ）を除く処理が、本発明のファクシミリ着信処理に相当し、ファクシミリ受信処理で発呼側からファクシミリ信号を受信しなかった場合（Ｓ４７でＮＯ）が、ファクシミリ着信処理以外の処理に相当する。
【００６８】
以上のファクシミリ装置１によれば、以下の効果が得られる。予め着信モードリストに登録された電話番号と着信モードとの対応関係に基いて今回受信した発呼側電話番号に対応する着信処理を迅速に選択する機能を有するため、いずれの着信処理を選択するかの判断に要する時間につき発呼側に電話料金が課されることを防止できるという効果が得られる。特に、この着信処理の選択を回線が閉結する前に行うため、この判断に要する時間につき発呼側に電話料金が課されることを一層確実に防止できる。尚、かかる効果は、電話番号に対応する着信モードがＦ／Ｔ切換着信モードの場合には得ることができない。また、発呼側電話番号が着信モードリストに登録されていない場合、かかる電話番号につき所定の着信モードと対応した形で自動的に着信モードリストに登録されるため、オペレータがその電話番号と着信モードとの対応関係をいちいち入力する作業が不要になるという効果が得られる。また、発呼側電話番号が着信モードリストに既に登録されている場合、その電話番号に対応する着信処理が変更されたとしても、その電話番号に対応する着信モードを自動的に更新するため、オペレータがその電話番号と着信モードとの対応関係をいちいち入力し直す必要がないという効果が得られる。さらに、本実施例のファクシミリ装置１では、予め着信モードリストに登録された電話番号と着信モードとの対応関係に基いて今回受信した発呼側電話番号に対応する着信処理を迅速に選択する機能を有する通信装置において、オペレータがいちいち着信モードリストを入力しなければならないタイプのものに比べて、上記機能を有効に活用することができるという効果が得られる。
【００６９】
尚、本発明は、上記実施例に何ら限定されることなく、本発明の技術的範囲を逸脱しない限り、種々の態様で実施できることはいうまでもない。例えば、上記実施例において、ＥＥＰＲＯＭ７のリスト記憶エリア７ａには、電話番号につき自動着信処理又は手動着信処理が対応するときのみを記憶し、電話番号につきＦ／Ｔ切換着信処理が対応するときは記憶しないこととしてもよい。この場合にも上記実施例と同様の効果が得られる。
【００７０】
【発明の効果】
【００７１】
【００７２】
【００７３】
以上詳述したように、請求項１記載の発明に係る通信装置によれば、予め記憶手段に登録された電話番号と処理モードの種別との対応関係に基いて所定の電話番号に対応する処理モードを迅速に選択する機能を有するため、いずれの処理モードを選択するかの判断に要する時間につき発呼側が課金されることを防止できるという効果が得られる。
【００７４】
また、請求項２記載の発明に係る通信装置によれば、記憶手段に登録されていない電話番号につき、オペレータがその電話番号と処理モードの種別との対応関係をいちいち入力して登録するという煩わしい作業が不要なため、上記機能が有効に活用されるという効果も得られる。
【００７５】
また、請求項３記載の発明に係る通信装置によれば、記憶手段に登録されている電話番号につき、対応する処理モードの種別が変更になったとき、オペレータがその電話番号と更新後の処理モードの種別との対応関係をいちいち入力して更新するという煩わしい作業が不要なため、上記機能が有効に活用されるという効果も得られる。
【図面の簡単な説明】
【図１】本実施例のファクシミリ装置の斜視図である。
【図２】本実施例のファクシミリ装置の概略構成を表すブロック図である。
【図３】通信プロトコルの制御信号を表す説明図である。
【図４】メインルーチンのフローチャートである。
【図５】自動着信処理のフローチャートである。
【図６】ファクシミリ受信処理のフローチャートである。
【図７】手動着信処理のフローチャートである。
【図８】Ｆ／Ｔ切換着信処理のフローチャートである。
【図９】着信モードリスト自動登録処理のフローチャートである。
【図１０】着信モードリスト自動更新処理のフローチャートである。
【符号の説明】
１・・・ファクシミリ装置
３・・・ＣＰＵ
７・・・ＥＥＰＲＯＭ
７ａ・・・リスト記憶エリア
８・・・ＲＡＭ
８ａ・・・発呼側電話番号記憶エリア
８ｂ・・・通信状況記憶エリア
９・・・画像メモリ
１２・・・符号化部
１３・・・スキャナ
１４・・・復号化部
１５・・・プリンタ
１６・・・電話回線
１７・・・交換機
１８・・・通信装置
２１・・・受話器
２２・・・操作パネル
２２ａ・・・ディスプレイ
２２ｃ・・・通信キー
２６・・・スピーカ
【図１】
0003543721.tif 000004
【図２】
0003543721.tif 000005
【図３】
0003543721.tif 000006
【図４】
0003543721.tif 000007
【図５】
0003543721.tif 000008
【図６】
0003543721.tif 000009
【図７】
0003543721.tif 000010
【図８】
0003543721.tif 000011
【図９】
0003543721.tif 000012
【図１０】
0003543721.tif 000013